(57)【要約】      （修正有）【課題】カウンター本体のひけを防止しつつ所要の強度を確保する浴室カウンターを提供する。【解決手段】浴室壁２に浴室カウンター３を設ける。浴室カウンター３のカウンター本体１０のカウンター板部１１を補強部材２０に載せ、背板部１４及び補強部材２０を浴室壁２に固定する。カウンター板部１１のカウンター裏面１７は、補強部材２０の直上に配置されて補強部材２０と接する当接面領域１７ａを有し、当接面領域１７ａが滑らかである。【選択図】図４
2020127605.tif 000002
【特許請求の範囲】
【請求項１】
浴室壁に設けられる浴室カウンターであって、
上向きのカウンター面及びその裏側のカウンター裏面を有するカウンター板部、並びに前記カウンター板部と交差して前記浴室壁に固定される背板部を含むカウンター本体と、
前記カウンター板部が載せられるとともに前記浴室壁に固定される補強部材と、
を備え、前記カウンター裏面が、前記補強部材の直上に配置されて前記補強部材と接する当接面領域を有し、前記当接面領域が滑らかであることを特徴とする浴室カウンター。
【請求項２】
浴室壁に設けられる浴室カウンターであって、
上向きのカウンター面及びその裏側のカウンター裏面を有するカウンター板部、並びに前記カウンター板部と交差して前記浴室壁に固定される背板部を含むカウンター本体と、
前記カウンター板部が載せられるとともに前記浴室壁に固定される補強部材と、
を備え、前記カウンター裏面が、前記補強部材の直上に配置されて前記補強部材と接する当接面領域と、前記補強部材の直上からずれた非接触面領域とを有し、前記当接面領域と前記非接触面領域とが滑らかに連続していることを特徴とする浴室カウンター。
【請求項３】
前記カウンター板部及び前記背板部のうち背板部にのみリブが形成されていることを特徴とする請求項１又は２に記載の浴室カウンター。
【請求項４】
前記カウンター本体が、前記背板部と対向する前板部及び前記背板部と交差する一対の側板部を更に有して、下方へ開放されたケース状であり、前記背板部が、前記前板部より下方へ突出され、前記各側板部が、前記背板部へ向かうにしたがって下方へ突出されることによって高さが増していることを特徴とする請求項１〜３の何れか１項に記載の浴室カウンター。
【請求項５】
前記補強部材が、前記背板部と重ねられて前記浴室壁に固定される取付部を含むことを特徴とする請求項１〜４の何れか１項に記載の浴室カウンター。
【請求項６】
前記補強部材が、前記取付部から浴室内側へ片持ち状に突出する複数の支持ビームと、これら支持ビーム間に架け渡された当接板とを含み、前記当接板が、前記カウンター裏面の前記当接面領域の直下に配置されて前記当接面領域と接していることを特徴とする請求項５に記載の浴室カウンター。
【請求項７】
前記カウンター裏面と前記補強部材との間に音吸収材が介在されていることを特徴項１〜６の何れか１項に記載の浴室カウンター。
【発明の詳細な説明】
【技術分野】
【０００１】
本発明は、浴室の壁に設けられた浴室カウンターに関する。
【背景技術】
【０００２】
一般に、浴室壁には、湯桶や石鹸類を置くための浴室カウンターが設けられている。
例えば特許文献１の浴室カウンターは、カウンター本体と、複数のブラケットを含む。浴室壁に複数のブラケットが左右に離れて取り付けられ、これらブラケット上にパネル状のカウンター本体が支持されている。カウンター本体は、合成樹脂の射出成形品である。カウンター本体の上面が、洗面器や石鹸類を置くカウンター面となる。カウンター本体の裏面（カウンター裏面）には、曲げ剛性を大きくするために補強リブが形成されている。
【０００３】
特許文献２の浴室カウンターにおいては、パネル状のカウンター本体を支持カバーによって下支えしている。カウンター裏面には、補強用のリブ、及び支持カバー固定用の雌ネジ孔付きボスが形成されている。
特許文献３の浴室カウンターにおいては、パネル状のカウンター本体が、左右一対のブラケット上に架け渡されている。カウンター本体にはブラケットと係止されるための嵌合突起が形成されている。
【先行技術文献】
【特許文献】
【０００４】
【特許文献１】特許第４９７０２１４号公報
【特許文献２】特許第５１８０５６３号公報
【特許文献３】特開２０１８−１３４２２７号公報
【発明の概要】
【発明が解決しようとする課題】
【０００５】
樹脂成形品であるカウンター裏面に補強リブ、ボス、嵌合突起などの凸部が形成されていると、カウンター面にひけが生じるおそれがある。また、カウンター本体の製造用の金型の構造が複雑化し、製造コストが上昇するおそれがある。
本発明は、かかる事情に鑑み、浴室カウンターにおけるカウンター本体のひけを防止しつつ製造コストを安価にするとともに、所要の強度を確保することを目的とする。
【課題を解決するための手段】
【０００６】
前記課題を解決するため、本発明は、浴室壁に設けられる浴室カウンターであって、
上向きのカウンター面及びその裏側のカウンター裏面を有するカウンター板部、並びに前記カウンター板部と交差して前記浴室壁に固定される背板部を含むカウンター本体と、
前記カウンター板部が載せられるとともに前記浴室壁に固定される補強部材と、
を備え、前記カウンター裏面が、前記補強部材の直上に配置されて前記補強部材と接する当接面領域を有し、前記当接面領域が滑らかであることを第１特徴とする。
本発明は、浴室壁に設けられる浴室カウンターであって、
上向きのカウンター面及びその裏側のカウンター裏面を有するカウンター板部、並びに前記カウンター板部と交差して前記浴室壁に固定される背板部を含むカウンター本体と、
前記カウンター板部が載せられるとともに前記浴室壁に固定される補強部材と、
を備え、前記カウンター裏面が、前記補強部材の直上に配置されて前記補強部材と接する当接面領域と、前記補強部材の直上からずれた非接触面領域とを有し、前記当接面領域と前記非接触面領域とが滑らかに連続していることを第２特徴とする。
【０００７】
当該浴室カウンターによれば、カウンター板部に掛かる荷重は補強部材に伝達され、補強部材がカウンター板部の強度を担う。このため、カウンター裏面に補強リブ、ボス、嵌合突起などの、補強用又は接合用の凸部を形成する必要が無い。したがって、樹脂成形品からなるカウンター本体のカウンター面にひけが生じるのを防止でき、製品の品質を確保できる。また、カウンター板部を全体的に略平坦ないしは略一定厚みに形成できるから、金型構造が簡素になり、製造コストを安価にできる。
カウンター本体の背板部を直接又は固定部品を介して浴室壁に固定することによって、カウンター本体のガタツキが防止される。浴室壁との間の隙間も生じにくい。
【０００８】
前記カウンター板部及び前記背板部のうち背板部にのみリブが形成されていることが好ましい。すなわち、カウンター板部にはリブが形成されていないことが好ましい。
これによって、カウンター面にひけが形成されるのを確実に防止できる。背板部にはリブを設けることによって、背板部の強度が高まり、ひいてはカウンター本体の強度が高まる。
【０００９】
前記カウンター本体が、前記背板部と対向する前板部及び前記背板部と交差する一対の側板部を更に有して、下方へ開放されたケース状であり、前記背板部が、前記前板部より下方へ突出され、前記各側板部が、前記背板部へ向かうにしたがって下方へ突出されることによって高さが増していることが好ましい。
カウンター板部の四方に該カウンター板部と交差する４つの板部（前板部、一対の側板部、背板部）を設けることによって、これら４つの板部がカウンター板部の補強リブとして機能し、カウンター板部の保形強度が高まる。かつ背板部及び側板部における背板部側部分の高さを大きくすることによって、浴室壁への取付強度が高まる。
【００１０】
前記補強部材が、前記背板部と重ねられて前記浴室壁に固定される取付部を含むことが好ましい。
これによって、カウンター本体と補強部材をビス等の互いに共通の固定手段によって浴室壁に固定できる。
【００１１】
前記補強部材が、前記取付部から浴室内側へ片持ち状に突出する複数の支持ビームと、これら支持ビーム間に架け渡された当接板とを含み、前記当接板が、前記カウンター裏面の前記当接面領域の直下に配置されて前記当接面領域と接していることが好ましい。
これによって、カウンター板部を当接板で面支持できる。
【００１２】
前記カウンター裏面と前記補強部材との間に音吸収材が介在されていることが好ましい。
カウンター板部と補強部材とが直接拘束されていなかったり直接接合されていなかったりすることで、カウンター板部が振動したとしても、音吸収材によって異音の発生が防止される。
【発明の効果】
【００１３】
本発明によれば、カウンター本体を安価に製造でき、かつひけを防止でき、かつ所要の強度を確保することができる。
【図面の簡単な説明】
【００１４】
【図１】図１は、本発明の一実施形態に係る浴室カウンターを浴室壁に設置した状態で示す平面図である。
【図２】図２は、前記浴室カウンターの正面図である。
【図３】図３（ａ）は、前記浴室カウンターを下から見た斜視図である。図３（ｂ）は、前記浴室カウンターの底ケースを省略して下から見た斜視図である。図３（ｃ）は、前記浴室カウンターを後方から見た斜視図である。図３（ｄ）は、前記浴室カウンターを上から見た分解斜視図である。図３（ｅ）は、前記浴室カウンターを下から見た分解斜視図である。
【図４】図４は、図２のＩＶ−ＩＶ線に沿う、前記浴室カウンターの側面断面図である。
【図５】図５は、図４のＶ−Ｖ線に沿う、前記浴室カウンターの正面断面図である。
【図６】図６は、前記浴室カウンターの背面図である。
【図７】図７は、前記浴室カウンターのカウンター本体の底面である。
【発明を実施するための形態】
【００１５】
以下、本発明の一実施形態を図面にしたがって説明する。
図１及び図２に示すように、浴室１の洗い場などの浴室壁２に浴室カウンター３が設けられている。浴室カウンター３は、浴室壁２から前方（浴室内側、図１において下方、図２において紙面手前）へ突出されている。図１に示すように、平面視における浴室カウンター３は、前端部が円弧状をなし、かつ浴室壁２へ向かうにしたがって幅が狭くなり、扇形状に形成されている。図２に示すように、正面視における浴室カウンター３は、上へ向かうにしたがって拡幅されることによって逆さ台形状に形成されている。図４に示すように、側面視における浴室カウンター３は、概略水平な上辺に対して底辺が浴室壁２へ向かうにしたがって下へ傾けられることによって概略直角三角形状に形成されている。
【００１６】
図３に示すように、浴室カウンター３は、カウンター本体１０と、補強部材２０と、底ケース３０を備えている。カウンター本体１０は、ポリ塩化ビニルなどの合成樹脂からなる射出成形品である。カウンター本体１０は、カウンター板部１１（天板部）と、前板部１２と、一対の側板部１３と、背板部１４を含み、下方へ開放されたケース状に形成されている。
【００１７】
図３に示すように、カウンター板部１１は、上向きのカウンター面１６及びその裏側（下側）のカウンター裏面１７を有し、概略扇形の略平らな又は扁平な板状に形成されている。カウンター面１６及びカウンター裏面１７は、共に全域にわたってほぼ平坦である。カウンター板部１１には、リブ、ボス、嵌合突起などの凹凸が形成されていない。
【００１８】
図４に示すように、カウンター面１６には、水が溜まらないように排水勾配が付けられている。該排水勾配は、後方（浴室壁２の側）へ向かって下がり勾配となることで、浴室カウンター３を使用中の入浴者の脚に排水がかからないようにしている。さらに、図１の二点鎖線及び図２に示すように、カウンター面１６の幅方向の両側部は、側方へ向かって下がり勾配となっている。これによって、カウンター面１６上の水を側方へ排水できる。
【００１９】
図７に示すように、カウンター裏面１７には、後記補強部材２０に対する当接面領域１７ａと、非接触面領域１７ｂとが設定されている。これら当接面領域１７ａ及び非接触面領域１７ｂは滑らかに連続している。当接面領域１７ａ及び非接触面領域１７ｂの間には、段差も稜線も形成されていない。
【００２０】
図３に示すように、カウンター板部１１の後端部には、立上り壁１５が設けられている。立上り壁１５は、カウンター板部１１から上へ突出されるとともに、浴室カウンター３の幅方向の全域にわたって延びている。
立上り壁１５によって、カウンター面１６上の排水が浴室壁２との壁際へ流れ込むのが防止されている。
【００２１】
図３に示すように、カウンター板部１１の前端部に前板部１２が設けられている。前板部１２は、カウンター板部１１と交差して下方へ突出されるとともに、カウンター板部１１の前端部に沿って円弧状に湾曲されている。
【００２２】
図４に示すように、カウンター板部１１の幅方向の両端部にそれぞれ側板部１３が設けられている。側板部１３は、カウンター板部１１と交差して下方へ突出されるとともに、後方へ向かうにしたがって下方への突出量が増大し、高さが増している。
図１に示すように、平面視において、一対の側板部１３どうしは、後方へ向かうにしたがって互いに接近されている。
【００２３】
図４及び図６に示すように、カウンター板部１１の後端部に背板部１４が設けられている。背板部１４は、前板部１２と前後方向に対向されるとともに、カウンター板部１１と交差して、前板部１２より下方へ突出されている。背板部１４の幅方向の両端部に側板部１３が交差して連なっている。
図６に示すように、背板部１４の背面には、格子状のリブ１４ｂ、及び円筒状のボス１４ｃが形成されている。図４に示すように、該背板部１４が、浴室壁２に突き当てられて固定される。
【００２４】
図３に示すように、カウンター本体１０の底部（下側部）に底ケース３０が設けられている。底ケース３０は、カウンター本体１０と同種又は異種の樹脂からなる射出成型品であり、上へ開放されたケース状に形成されている。該底ケース３０が、カウンター本体１０の底部開放部を塞ぐようにして、カウンター本体１０と合わさっている。
図４に示すように、カウンター本体１０と底ケース３０によって、カウンター内空間３ａが形成されている。カウンター内空間３ａに補強部材２０が収容されている。
【００２５】
図４及び図５に示すように、補強部材２０は、鋼材によって構成されており、一対（複数）の支持ビーム２１と、当接板２２と、一対（複数）の取付部２３を含む。取付部２３が背板部１４と重ねられ、かつ取付部２３と背板部１４とがビス４によって浴室壁２に共締めされている。
言い換えると、背板部１４が、取付部２３と浴室壁２の間に挟みつけられて固定されている。
【００２６】
支持ビーム２１は、取付部２３から前方（図４において左側）へ片持ち状に突出されている。一対の支持ビーム２１どうしの間に当接板２２が架け渡されている。
当接板２２にカウンター板部１１が載せられている。当接板２２の直上には、カウンター裏面１７の当接面領域１７ａが配置されている。
当接板２２ひいては補強部材２０は、カウンター板部１１に対して直接には拘束されていない。補強部材２０とカウンター板部１１とは、ネジ止め、接着、溶着、嵌合などの接合手段によって接合されていない。
【００２７】
図４に示すように、当接板２２の上面には音吸収材２４が設けられている。音吸収材２４は、例えばゴム、発泡樹脂等の弾力性材料によって構成されている。カウンター板部１１と補強部材２０との間に音吸収材２４が介在されている。当接板２２が、音吸収材２４を介してカウンター裏面１７における当接面領域１７ａと接している。
カウンター裏面１７における非接触面領域１７ｂは、当接板２２の直上からずれて配置されており、補強部材２０と接していない。
【００２８】
当該浴室カウンター３によれば、カウンター板部１１に掛かる荷重が補強部材２０に伝達され、補強部材２０がカウンター板部１１の強度を担う。カウンター板部１１が補強部材２０に対して直接拘束又は接合されていなくても、背板部１４が浴室壁２に固定されることで、カウンター板部１１のがたつきが防止される。このため、カウンター裏面１７に補強リブ、ボス、嵌合突起などの凸部を形成する必要が無い。したがって、カウンター本体１０を樹脂成形した場合、カウンター面１６にひけが生じるのを防止でき、製品の品質を確保できる。また、カウンター板部１１を全体的に略平坦ないしは略一定厚みに形成できるから、金型構造が簡素になり、製造コストを安価にできる。
【００２９】
カウンター板部１１のリブを無くすことによって、カウンター面１６にひけが形成されるのを防止できる。背板部１４にはリブ１４ｂを形成することによって、背板部１４の強度を確保でき、カウンター本体１０を浴室壁２にしっかり固定できる。
取付部２３を浴室壁２に固定すると、背板部１４が取付部２３と浴室壁２の間に挟みつけられて固定される。したがって、カウンター本体１０が補強部材２０を介して浴室壁２に固定される。
カウンター板部１１を当接板２２に載せて支持させることができる。
カウンター板部１１が補強部材２０に対して非拘束状態であるために振動したとしても、音吸収材２４によって異音の発生が防止される。
【００３０】
本発明は、前記実施形態に限定されるものではなく、その趣旨を逸脱しない範囲において種々の改変をなすことができる。
例えば、浴室カウンター３の平面視形状は、扇形に限らず、長方形状、正方形状、半円形状などであってもよい。
補強部材２０の当接板２２が、カウンター板部１１と接着、溶着などの接合手段によって接合されていてもよい。当接板２２は、カウンター裏面１７と同じ大きさ、形状であってもよい。当接板２２がカウンター裏面１７の全域に接していてもよい。
補強部材２０が、前板部１２と拘束されていてもよい。補強部材２０は、取付部２３にて浴室壁２に固定されているが、カウンター本体１０に固定されていてもよく、浴室壁２には直接固定されていなくてもよい。
カウンター裏面１７は完全な平面に限らず若干曲面になっていてもよい。カウンター裏面１７の平面度の上限は５程度であるのが好ましい。
補強部材２０の材質は鋼材などの金属に限らず、樹脂であってもよい。補強部材２０が、射出成型、注型成型、真空成型などによる樹脂成型品であってもよい。
底ケース３０を省略してもよい。
音吸収材２４がカウンター裏面１７に貼り付けられていてもよい。
【産業上の利用可能性】
【００３１】
本発明は、例えば浴室ユニットに適用できる。
【符号の説明】
【００３２】
１        浴室
２        浴室壁
３        浴室カウンター
３ａ      カウンター内空間
４        ビス
１０      カウンター本体
１１      カウンター板部
１２      前板部
１３      側板部
１４      背板部
１４ｂ    リブ
１４ｃ    ボス
１５      立上り壁
１６      カウンター面
１７      カウンター裏面
１７ａ    当接面領域
１７ｂ    非接触面領域
２０      補強部材
２１      支持ビーム
２２      当接板
２３      取付部
２４      音吸収材
３０      底ケース
【図１】
2020127605.tif 000003
【図２】
2020127605.tif 000004
【図３】
2020127605.tif 000005
【図４】
2020127605.tif 000006
【図５】
2020127605.tif 000007
【図６】
2020127605.tif 000008
【図７】
2020127605.tif 000009